(57)【要約】【課題】製品情報の送受信に伴う送信者の履歴情報の容量を低減する。【解決手段】購入管理サーバであって、製品の紹介元情報および紹介先情報を含む購入情報が記憶された購入管理記憶手段と、クライアントから前記購入情報を受信して、当該購入情報に対応する紹介用パスワードを生成する生成手段と、前記クライアントから受信した購入情報および前記紹介用パスワードを前記購入管理記憶手段に登録する登録手段と、前記紹介用パスワードを前記クライアントに送信するパスワード送信手段と、前記クライアントから受信した紹介用パスワードと、前記購入管理記憶手段に登録された紹介用パスワードとが一致する場合、前記購入管理記憶手段に記憶された前記製品の購入先情報を前記クライアントに送信する購入先情報送信手段と、を備える。【選択図】  図３
2006268198.tif 000002
【特許請求の範囲】
【請求項１】
購入管理システムであって、
少なくとも１つのクライアントと、購入管理サーバとを有し、
前記購入管理サーバは、
製品の紹介元情報および照会先情報を含む購入情報が記憶された購入管理記憶手段と、
前記クライアントから前記購入情報を受信して、当該購入情報に対応する紹介用パスワードを生成する生成手段と、
前記クライアントから受信した購入情報および前記紹介用パスワードを前記購入管理記憶手段に登録する登録手段と、
前記紹介用パスワードを前記クライアントに送信するパスワード送信手段と、を備え、
前記クライアント各々は、
前記製品の製品情報を取得する取得手段と、
前記製品の購入情報を前記購入管理サーバに送信し、前記紹介用パスワードを受信するパスワード受信手段と、
前記受信した紹介用パスワードを用いて前記製品情報を更新する更新手段と、
前記更新した製品情報を送信する送信手段と、を備えること
を特徴とする購入管理システム。
【請求項２】
購入管理サーバであって、
製品の紹介元情報および紹介先情報を含む購入情報が記憶された購入管理記憶手段と、
クライアントから前記購入情報を受信して、当該購入情報に対応する紹介用パスワードを生成する生成手段と、
前記クライアントから受信した購入情報および前記紹介用パスワードを前記購入管理記憶手段に登録する登録手段と、
前記紹介用パスワードを前記クライアントに送信するパスワード送信手段と、
前記クライアントから受信した紹介用パスワードと、前記購入管理記憶手段に登録された紹介用パスワードとが一致する場合、前記購入管理記憶手段に記憶された前記製品の購入先情報を前記クライアントに送信する購入先情報送信手段と、を備えること
を特徴とする購入管理サーバ。
【請求項３】
請求項２記載の購入管理サーバであって、
前記購入管理記憶手段に登録された購入情報に基づいて、前記製品の紹介元を特定し、当該特定した紹介元に支払う報酬を算出する算出手段と、をさらに備えること
を特徴とする購入管理サーバ。
【請求項４】
請求項３記載の購入管理サーバであって、
前記算出手段は、前記購入情報に含まれる前記紹介元情報を遡り、前記製品の全ての紹介元を特定し、当該特定した全ての紹介元各々に支払われる前記報酬を、所定の比率で算出すること
を特徴とする購入管理サーバ。
【請求項５】
請求項２記載の購入管理サーバであって、
前記生成手段は、所定の有効期限が設定されたワンタイムパスワードを前記紹介用パスワードとして生成し、
前記登録手段は、前記紹介用パスワードの有効期限を、前記購入管理記憶手段にさらに登録し、
前記購入先情報送信手段は、前記クライアントから受信した紹介用パスワードと、前記購入管理記憶手段に登録されたパスワードとが一致する場合であって、かつ、前記有効期限内の場合、前記購入管理記憶手段に記憶された購入先情報を前記クライアントに送信すること  
を特徴とする購入管理サーバ。
【請求項６】
情報処理装置が行う購入管理方法であって、
前記情報処理装置は、製品の紹介元情報および紹介先情報を含む購入情報が記憶された購入管理記憶部と、処理部と、を有し、
前記処理部は、
クライアントから前記購入情報を受信して、当該購入情報に対応する紹介用パスワードを生成する生成ステップと、
前記クライアントから受信した購入情報および前記紹介用パスワードを前記購入管理記憶部に登録する登録ステップと、
前記紹介用パスワードを前記クライアントに送信するパスワード送信ステップと、
前記クライアントから受信した紹介用パスワードと、前記購入管理記憶部に登録された紹介用パスワードとが一致する場合、前記購入管理記憶部に記憶された前記製品の購入先情報を前記クライアントに送信する購入先情報送信ステップと、を行うこと
を特徴とする購入管理方法。
【請求項７】
情報処理装置が実行する購入管理プログラムであって、
前記情報処理装置は、製品の紹介元情報および紹介先情報を含む購入情報が記憶された購入管理記憶部と、処理部と、を有し、
前記処理部に、
クライアントから前記購入情報を受信して、当該購入情報に対応する紹介用パスワードを生成する生成ステップと、
前記クライアントから受信した購入情報および前記紹介用パスワードを前記購入管理記憶部に登録する登録ステップと、
前記紹介用パスワードを前記クライアントに送信するパスワード送信ステップと、
前記クライアントから受信した紹介用パスワードと、前記購入管理記憶部に登録された紹介用パスワードとが一致する場合、前記購入管理記憶部に記憶された前記製品の購入先情報を前記クライアントに送信する購入先情報送信ステップと、を実行させること
を特徴とする購入管理プログラム。
【発明の詳細な説明】
【技術分野】
【０００１】
本発明は、製品の購入情報を管理する技術に関する。
【背景技術】
【０００２】
電子商取引（ＥＣ）における報酬支払いの方式として、アフィリエイト（affiliate）がある。アフィリエイトは、あるユーザが製品情報を第３者に送信し、第３者が製品情報を参照して当該製品を購入した場合、製品情報を送信したユーザに所定の報酬が支払われる方式である。
【０００３】
また、特許文献１には、ネットワークを介して配信されるデジタルコンテンツの利用者情報を、ネットワーク上の所定のアドレスに送出するプログラムが記載されている。
【特許文献１】特開２００４−３５５２５８号公報
【発明の開示】
【発明が解決しようとする課題】
【０００４】
さて、図４は、アフィリエイトの一例を模式的に示した図である。
【０００５】
まず、第１の階層のユーザＡが、所定の製品を、ネットワークを介して製品販売会社（または、広告代理店など）から購入し、製品販売会社とアフィリエイトの契約を行う（Ｓ２１）。そして、ユーザＡは、購入した製品の製品情報を、第２階層のユーザＢ等に送信する（Ｓ２２）。そして、ユーザＢは、送信された製品情報を参照して、製品販売会社から当該製品を購入し、アフィリエイトの契約を行う（Ｓ２３）。そして、ユーザＢは、Ｓ２２と同様に、製品情報を第３階層のユーザＣ等に送信する（Ｓ２４）。そして、ユーザＣは、Ｓ２３と同様に、当該製品を購入してアフィリエイトの契約を行う（Ｓ２５）。
【０００６】
そして、アフィリエイトの契約により、各ユーザには、自分の配下（自分より下の階層）のユーザが製品を購入した場合、製品を購入したユーザ毎に所定の報酬が支払われる（Ｓ２８）。例えば、第１階層のユーザＡには、第２階層以下の各ユーザに対する報酬が支払われる。
【０００７】
このように第１階層のユーザＡにまで遡って報酬を支払う場合、逐次、送信者の情報を追加した製品情報を送信する必要がある。しかしながら、多数の階層に跨って製品情報が送受信される場合、多数の送信者の情報が追加されるため、製品情報が増大してしまう。また、ＱＲコードなどの２次元コードを用いて送信者の履歴情報が付加された製品情報を送受信する場合、記録可能な情報量を超えてしまう場合がある。
【０００８】
本発明は上記事情に鑑みてなされたものであり、本発明の目的は、製品情報の送受信に伴う送信者の履歴情報の容量を低減することにある。
【課題を解決するための手段】
【０００９】
上記課題を解決するために、第１の発明は、購入管理システムであって、少なくとも１つのクライアントと、購入管理サーバとを有し、前記購入管理サーバは、製品の紹介元情報および照会先情報を含む購入情報が記憶された購入管理記憶手段と、前記クライアントから前記購入情報を受信して、当該購入情報に対応する紹介用パスワードを生成する生成手段と、前記クライアントから受信した購入情報および前記紹介用パスワードを前記購入管理記憶手段に登録する登録手段と、前記紹介用パスワードを前記クライアントに送信するパスワード送信手段とを備え、前記クライアント各々は、前記製品の製品情報を取得する取得手段と、前記製品の購入情報を前記購入管理サーバに送信し、前記紹介用パスワードを受信するパスワード受信手段と、前記受信した紹介用パスワードを用いて前記製品情報を更新する更新手段と、前記更新した製品情報を送信する送信手段とを備える。
【００１０】
また、第２の発明は、購入管理サーバであって、製品の紹介元情報および紹介先情報を含む購入情報が記憶された購入管理記憶手段と、クライアントから前記購入情報を受信して、当該購入情報に対応する紹介用パスワードを生成する生成手段と、前記クライアントから受信した購入情報および前記紹介用パスワードを前記購入管理記憶手段に登録する登録手段と、前記紹介用パスワードを前記クライアントに送信するパスワード送信手段と、前記クライアントから受信した紹介用パスワードと、前記購入管理記憶手段に登録された紹介用パスワードとが一致する場合、前記購入管理記憶手段に記憶された前記製品の購入先情報を前記クライアントに送信する購入先情報送信手段と、を備える。
【発明の効果】
【００１１】
本発明により、製品の購入および紹介に伴う紹介履歴情報の容量を低減することができる。また、製品の購入状況や製品情報の伝達状況を管理することができる。
【発明を実施するための最良の形態】
【００１２】
以下、本発明の実施の形態について説明する。
【００１３】
図１は、本発明の一実施形態が適用された購入管理システムの全体構成図である。
【００１４】
本実施形態の購入管理システムは、複数の端末１と、製品販売サーバ２と、購入管理サーバ３とを備える。そして、これらの装置は、インターネットなどのネットワーク４により接続されている。
【００１５】
端末１は、製品販売サーバ２にアクセスして製品を購入する購入部１１と、購入情報を購入管理サーバに送信する制御部１２と、購入した製品の製品情報を送信する送信部１３とを有する。なお、端末１は、ネットワーク４に接続可能な装置であって、例えば、ＰＣ（Personal Computer）、携帯電話、モバイル端末、ＤＶＤ−Ｒ、情報家電等を用いることができる。      
製品販売サーバ２は、様々な製品を、ネットワーク４を介して端末１に販売する装置である。製品販売サーバ２が販売する製品としては、例えば、デジタルコンテンツ、商品、サービスなどが考えられる。製品販売サーバ２は、処理部２１と、製品ＤＢ２２とを有する。処理部２１は、端末１からの要求に応じて、製品ＤＢ２２に記憶された各種の製品を販売する。
【００１６】
購入管理サーバ３は、製品の購入履歴を管理する装置である。図示する購入管理サーバ３は、パスワード生成部３１と、データ管理部３２と、報酬算出部３３と、記憶部３４とを備える。パスワード生成部３１は、端末１が送信する製品情報に使用される紹介用パスワードを生成する。データ管理部３２は、記憶部３４の購入管理テーブル３５を管理する。
【００１７】
報酬算出部３３は、各端末（または各ユーザ）に支払う報酬を算出する。なお、本実施形態では、端末１は製品販売サーバ２と前述のアフィリエイトの契約を行い、自らが送信した製品情報を用いて他の端末１が製品を購入した場合、所定の報酬が支払われるものとする。記憶部３４には、製品ごとに作成される購入管理テーブル３５が記憶されている。購入管理テーブル３５については後述する。
【００１８】
上記説明した、端末１、製品販売サーバ２、および購入管理サーバ３は、いずれも、ＣＰＵと、メモリと、ＨＤＤ等の外部記憶装置と、入力装置と、出力装置と、他の装置と接続するための通信制御装置と、これらの各装置を接続するバスと、を備えた汎用的なコンピュータシステムを用いることができる。
【００１９】
このコンピュータシステムにおいて、ＣＰＵがメモリ上にロードされた所定のプログラムを実行することにより、各装置の各機能が実現される。例えば、端末１、製品販売サーバ２および購入管理サーバ３の各機能は、端末１用のプログラムの場合は端末１のＣＰＵが、製品販売サーバ２用のプログラムの場合は製品販売サーバ２のＣＰＵが、そして、購入管理サーバ３用のプログラムの場合は購入管理サーバ３のＣＰＵが、それぞれ実行することにより実現される。なお、製品販売サーバ２の製品ＤＢ２２には、製品販売サーバ２のメモリまたは外部記憶装置が、また、購入管理サーバ３の記憶部３４には、購入管理サーバ３のメモリまたは外部記憶装置が用いられる。また、外部記憶装置、入力装置および出力装置については、各装置が必要に応じて備えるものとする。
【００２０】
次に、本システムの処理について説明する。
【００２１】
図２は、本システムの処理フロー図である。また、図２には、購入管理テーブル３５の一例が記載されている。
【００２２】
図示する購入管理テーブル３５は、製品ａの購入管理テーブル３５であって、照会先情報と、紹介元情報と、紹介用パスワードとを備える。紹介先情報には、製品ａを購入したユーザを識別するための識別情報が設定される。紹介先情報に設定される識別情報としては、例えば、端末名、端末ＩＤ、端末１を使用するユーザのユーザＩＤ、また、端末１が携帯電話であれば固体識別番号（携帯電話番号）などが考えられる。
【００２３】
紹介元情報には、製品ａを紹介した（すなわち、製品ａの製品情報を送信した）ユーザを識別する識別情報が設定される。紹介元情報に設定される識別情報としては、紹介先情報と同様に、例えば、端末名、端末ＩＤ、ユーザＩＤ、固体識別番号などが考えられる。なお、本実施形態では、照会先情報および照会元情報の識別情報に端末名を用いることとする。紹介用パスワードは、購入管理テーブル３５に登録された購入情報（照会先情報、照会元情報）毎に生成される情報であって、端末１が送信する製品情報に用いられる。
【００２４】
次に、本システムの処理について説明する。
【００２５】
まず、端末Ａの購入部１１は、製品販売サーバ２の所定のＷｅｂサイトにアクセスして製品ａを購入し、製品ａの製品情報を取得する（Ｓ１）。そして、購入部１１は、取得した製品情報をメモリまたは外部記憶装置（以下、「メモリ等」）に記憶する。製品情報には、製品販売サーバ２のＷｅｂサイトである購入先ＵＲＬ（Uniform Resource Locator）と、購入管理サーバ３のアドレスとが含まれているものとする。なお、購入部１１は、雑誌などに掲載されたＱＲコードをＱＲコードリーダで読み取ることにより、製品情報を取得することとしてもよい。
【００２６】
そして、端末Ａの制御部１２は、製品ａの購入情報を購入管理サーバ３に送信し、購入管理サーバ３から紹介用パスワードを取得する（Ｓ２）。すなわち、制御部１２は、端末Ａの端末名と購入先ＵＲＬとを含む製品ａの購入情報を、購入管理サーバ３のアドレスを宛先として送信する。そして、購入管理サーバ３のパスワード生成部３１は、端末Ａから購入情報を受信し、所定の方法（例えば、乱数の生成、ハッシュ関数など）により紹介用パスワードを生成する。紹介用パスワードは、端末Ａが製品情報を送信（紹介）する際に用いられるパスワードである。すなわち、前述のアフィリエイトなどの報酬支払い方式を採用する場合、製品の紹介元の履歴が付加された製品情報を送信する必要がある。紹介用パスワードは、製品の紹介履歴を特定するための情報である。
【００２７】
なお、パスワード生成部３１は、セキュリティをより強化するために、一定の期間しか使用できないワンタイムパスワード（ＯＴＰ）を生成することとしてもよい。紹介用パスワードにワンタイムパスワードを用いた場合、購入管理テーブル３５には、紹介用パスワードの有効期限（不図示）が設定されるものとする。
【００２８】
そして、データ管理部３２は、端末Ａから受信した購入情報、および、パスワード生成部３１が生成した紹介用パスワードを購入管理テーブルに登録する。なお、この時点では、端末Ａから受信した製品ａの購入情報は、最初の製品ａの購入情報である。したがって、データ管理部３２は、製品ａの購入管理テーブル３５を記憶部３４に新規に作成し、紹介先情報には端末Ａの端末名を、紹介元情報には購入先ＵＲＬを、紹介用パスワードにはパスワード生成部３１が生成した紹介用パスワード（および有効期限）を、それぞれ設定する。そして、データ管理部３２は、紹介用パスワードを、端末Ａに送信する。
【００２９】
端末Ａの制御部１２は、購入管理サーバ３から紹介用パスワードを受信する。そして、制御部１２は、メモリ等に記憶された製品情報の購入先ＵＲＬを、購入管理サーバ３から受信した紹介用パスワードに置換（変換）して、製品情報を更新する（Ｓ３）。また、制御部１２は、製品情報に、製品情報の送信者である自らの端末名を追加する。
【００３０】
そして、送信部１３は、制御部１２が更新した製品情報を送信する（Ｓ４）。この製品情報の送信方法には、送信先を指定する方法と、送信先を指定せずに不特定多数に公開する方法がある。送信先を指定する方法としては、例えば、端末Ａの送信部１３は、送信先の端末Ｂを宛先として製品情報を送信する場合が考えられる。また、端末Ａの送信部１３は、製品情報を添付したメールを端末Ｂに送信することとしてもよい。また、端末Ａの送信部１３は、赤外線通信（IrDA：Infrared Data Association）を用いて、当該端末Ａと近距離に存在する端末に対して製品情報を送信することとしてもよい。
【００３１】
送信先を指定しない送信方法としては、例えば、端末Ａの送信部１３は、所定のＷｅｂサイトに製品情報を公開（アップロード）することにより製品情報を送信することとしてもよい。また、端末Ａの送信部１３は、製品情報をテキストデータとして送信するだけでなく、例えば、製品情報をＱＲコードなどの２次元バーコードに変換して送信することとしてもよい。すなわち、ＱＲコードなどを写真撮影し、雑誌やポスターに掲載することにより製品情報を送信することとしてもよい。また、Ｐ２Ｐソフト（ファイル交換ソフト）を用いて、製品情報を送信することとしてもよい。
【００３２】
そして、端末Ｂの制御部１２は、端末Ａが送信した製品ａの製品情報を取得し、メモリ等に記憶する。そして、制御部１２は、取得した製品情報に含まれる紹介用パスワードおよび端末名（この場合、端末Ａの端末名）を購入管理サーバ３に送信する（Ｓ５）。そして、購入管理サーバ３のデータ管理部３２は、端末Ｂから紹介用パスワードおよび端末Ａの端末名を受信する。そして、データ管理部３２は、購入管理テーブル３５を参照し、受信した端末名が照会先情報に設定されているレコードの紹介用パスワードを特定し、特定した紹介用パスワードと受信した紹介用パスワードとを照合する。そして、認証に成功した場合（紹介用パスワードが一致した場合）、データ管理部３２は、購入管理テーブル３５に設定された購入先ＵＲＬを、端末Ｂに送信する（Ｓ５）。
【００３３】
端末Ｂの購入部１１は、購入管理サーバ３から受信した購入先ＵＲＬを用いて、製品販売サーバ２にアクセスし、製品ａを購入する。そして、端末Ｂの制御部１２は、製品ａの購入情報を購入管理サーバ３に送信し、購入管理サーバ３から紹介用パスワードを取得する（Ｓ６）。すなわち、制御部１２は、自端末（端末Ｂ）の端末名と、紹介元の端末Ａの端末名とを含む購入情報を、購入管理サーバ３のアドレスを宛先として送信する。そして、購入管理サーバ３のパスワード生成部３１は、端末Ｂから製品ａの購入情報を受信し、新たな紹介用パスワードを生成する。なお、紹介用パスワードの生成については、前述のとおりである。そして、データ管理部３２は、端末Ｂから受信した購入情報と、新たに生成した紹介用パスワードとを購入管理テーブル３５に登録する。すなわち、データ管理部３２は、照会先情報に端末Ｂの端末名を、紹介元情報には端末Ａの端末名を、紹介用パスワードには新たに生成した紹介用パスワードをそれぞれ設定したレコードを、購入管理テーブル３５に登録する。そして、データ管理部３２は、紹介用パスワードを、端末Ｂに送信する。
【００３４】
端末Ｂの制御部１２は、購入管理サーバ３から紹介用パスワードを受信する。そして、制御部１２は、メモリ等に記憶された製品情報の一部を置換し、製品情報を更新する（Ｓ７）。すなわち、制御部１２は、製品情報の紹介用パスワードをＳ６で購入管理サーバ３から受信した紹介用パスワードに置換し、端末Ａの端末名を端末Ｂの端末名に置換する。そして、送信部１３は、制御部１２が更新した製品情報を送信する（Ｓ８）。なお、製品情報の送信方法にについては、Ｓ４において説明したとおりである。
【００３５】
そして、端末Ｃおよび端末Ｄは、端末Ｂが送信した製品情報を取得し、メモリ等に記憶する。そして、端末Ｃおよび端末Ｄは、Ｓ５と同様に、取得した製品情報に含まれる紹介用パスワードおよび端末名（この場合、端末Ｂの端末名）を購入管理サーバ３に送信する（Ｓ９）。そして、購入管理サーバ３は、Ｓ５と同様に、紹介用パスワードを照合し、購入管理テーブル３５に設定された購入先ＵＲＬを、端末Ｃおよび端末Ｄに送信する（Ｓ９）。端末Ｃおよび端末Ｄは、製品ａを購入し、Ｓ６と同様に購入情報を購入管理サーバ３に送信し、購入管理サーバ３から紹介用パスワードを取得する（Ｓ１０）。
【００３６】
そして、購入管理サーバ３の報酬算出部３３は、後述する報酬算出処理を行い、各端末に、それぞれ報酬を支払う（Ｓ１１）。すなわち、各端末は、自分が送信した製品情報を用いて他の端末が製品を購入した場合、所定の報酬を取得することができる。図３に示す処理フローの場合、端末Ａは、端末Ｂ、端末Ｃおよび端末Ｄの報酬を取得することができる。また、端末Ｂは、端末Ｃおよび端末Ｄの報酬を取得することができる。
【００３７】
次に、購入管理サーバ３の報酬算出部３３が行う報酬算出処理について説明する。報酬算出部３３は、報酬算出を行う際に、購入管理テーブル３５に基づいて（紹介元情報を遡って）、メモリ上に紹介履歴情報を生成する。
【００３８】
図３は、紹介履歴情報の一例を示す図である。図示する紹介履歴情報は、図２に示す製品ａの購入管理テーブル３５に対応した紹介履歴情報である。
【００３９】
紹介履歴情報には、製品を購入した購入端末３６１毎に、製品情報を送信した紹介元端末の紹介履歴（紹介経路）３６２が設定されている。例えば、購入端末が端末Ａの場合、端末Ａは、製品販売サーバ２から製品情報を取得しているため、紹介履歴は空白である。また、購入端末が端末Ｂの場合、端末Ｂは、端末Ａが送信した製品情報を取得しているため、紹介履歴には端末Ａが設定される。また、購入端末が端末Ｃの場合、端末Ｃは端末Ｂが送信した製品情報を取得し、さらに端末Ｂは端末Ａが送信した製品情報を取得しているため、紹介履歴には端末Ｂおよび端末Ａが設定される。
【００４０】
報酬算出部３３は、紹介履歴情報を用いて、各端末（または各ユーザ）に支払う報酬を算出する。報酬の算出方法としては、例えば、製品の販売価格の一部（例えば、１０％）を、紹介履歴で設定された全ての端末に所定の割合で配分する方法が考えられる。なお、所定の割合としては、全ての端末に均等に配分する場合や、端末毎に重み付け（比率）を設定する場合などある。
【００４１】
なお、端末毎に重み付け（比率）を設定する場合、報酬算出部３３は、例えば、図示しない比率テーブルを参照して、端末毎に報酬を算出することが考えられる。比率テーブルは、購入管理サーバ３の記憶部３４にあらかじめ記憶され、比率テーブルには、紹介履歴に設定される端末の順番と、当該順番に対応する比率とが設定されているものとする。報酬算出部３３は、紹介履歴に設定された端末毎に、当該端末の順番を特定し、特定した順番に対応する比率を比率テーブルから取得する。そして、報酬算出部３３は、このように取得した各端末の比率を用いて、各端末に支払う報酬をそれぞれ算出する。なお、比率テーブルには、例えば、端末の順番が小さい（すなわち、購入端末に近い）ほど高い比率を設定することが考えられる。具体的には、図示する紹介履歴情報の購入端末が端末Ｃの場合、端末Ｃに製品情報を直接送信した端末Ｂは「１番目」で、端末Ａは「２番目」である。そして、比率テーブルには、「１番目」の比率には、「２番目」より大きな比率が設定されているものとする。この場合、報酬算出部３３が算出する報酬は、「１番目」の端末Ｂの報酬の方が、「２番目」の端末Ａの報酬より大きいものとなる。
【００４２】
また、報酬の算出方法としては、紹介履歴で設定された端末の中から所定の数の端末を抽出し、抽出した端末各々に製品の販売価格の一部を所定の割合で配分する方法が考えられる。所定の数の端末を抽出する方法としては、例えば、紹介履歴の順番に基づいて、購入端末が製品情報を取得した端末から遡って所定の順番までの端末を抽出することが考えられる。すなわち、図示する紹介履歴情報の購入端末が端末Ｃの場合、報酬算出部３３は、端末Ｃに製品情報を送信した端末Ｂから順に端末を抽出するものとする。なお、
所定の割合は、前述の通り、抽出した端末各々に均等に配分する場合や、端末毎に重み付け（比率）を設定する場合などが考えられる。
【００４３】
なお、図２に示す処理フローでは、購入管理サーバ３が各端末に算出した報酬を支払う。しかしながら、購入管理サーバ３の報酬算出部３３が算出した報酬情報を、製品販売サーバ２に送信し、製品販売サーバ２が各端末に報酬を支払うこととしてもよい。
【００４４】
以上、本発明の一実施形態を説明した。
【００４５】
本実施形態の購入管理システムでは、購入管理サーバ３を備えることにより、製品の購入情報および製品情報の送信状況を、一元的に管理する。これにより、アフィリエイト契約などのように、自分が送信した製品情報に基づいて第３者が製品を購入すると報酬が支払われる場合であっても、製品情報に付加される送信者の履歴情報の容量を削減することができる。したがって、ＱＲコードなどの２次元バーコードを用いて製品情報を送受信する場合であっても、２次元バーコードの使用可能な容量を超えることがない。
【００４６】
また、本実施形態のパスワード生成部３１は、紹介用パスワードとして有効期限付のワンタイムパスワードを生成する場合がある。有効期限付のワンタイムパスワードを用いることにより、送信時から相当な期間が経過した送信情報を用いたアクセスを防止することができる。
【００４７】
なお、本発明は上記の実施形態に限定されるものではなく、その要旨の範囲内で数々の変形が可能である。例えば、本実施形態のパスワード生成部３１は、端末から購入情報を受信すると、１つの紹介用パスワードを生成する。しかしながら、パスワード生成部３１は、製品情報を送信する端末毎に異なる複数の紹介用パスワードを生成することとしてもよい。また、紹介用パスワード毎に、異なる有効期限を設定することとしてもよい。
【００４８】
また、本実施形態では、各端末間で送受信される製品情報には購入管理サーバのアドレスが含まれている。しかしながら、各端末のメモリまたは外部記憶装置に、あらかじめ購入管理サーバのアドレスが記憶されている場合、製品情報に購入管理サーバのアドレスを含める必要はない。
【００４９】
また、本実施形態の購入管理テーブル３５の先頭レコードには、購入先ＵＲＬが設定されている。しかしながら、購入先ＵＲＬの替わりに商品の識別情報（例えば、コンテンツＩＤ）を設定することとしてもよい。この場合、購入管理サーバ３の記憶部３２には、商品の識別情報に対応する購入先ＵＲＬが設定された変換テーブルが記憶され、当該変換テーブルを用いて変換した購入先ＵＲＬを端末に送信する。
【図面の簡単な説明】
【００５０】
【図１】本発明の一実施形態が適用された購入管理システムの全体構成を示す図である。
【図２】購入管理システムの処理フロー図である。
【図３】紹介履歴情報の一例を示す図である。
【図４】アフィリエイトを模式的に示す図である。
【符号の説明】
【００５１】
１：端末、１１：購入部、１２：制御部、１３：送信部、２：製品販売サーバ、２１：処理部、２２：製品ＤＢ、３:購入管理サーバ、３１：パスワード生成部、３２：データ管理部、３３：報酬算出部、３４：記憶部、３５：購入管理テーブル
【図１】
2006268198.tif 000003
【図２】
2006268198.tif 000004
【図３】
2006268198.tif 000005
【図４】
2006268198.tif 000006